(57)【要約】【課題】ＣＶＴスキャンの場合であっても、原稿に埋め込まれた無線タグの記録情報を適切に利用することのできる画像読取装置を提供する。【解決手段】セットされた原稿束から原稿を毎葉で繰り出して搬送する原稿搬送手段１１と、搬送される原稿からの画像読み取りを行う画像読取手段１２と、前記原稿に埋め込まれた無線タグからの格納情報の読み取りを行う情報読取手段１６とを備えた画像読取装置において、前記情報読取手段１６として、前記原稿搬送手段１１による搬送開始前に前記原稿束を構成する原稿について第一の情報読み取りを行う第一読取手段１６ａと、前記原稿搬送手段１１による搬送開始後に当該原稿搬送手段１１が搬送する原稿について第二の情報読み取りを行う第二読取手段１６ｂとを設ける。【選択図】図２
2007074333.tif 000002
【特許請求の範囲】
【請求項１】
セットされた原稿束から原稿を毎葉で繰り出して搬送する原稿搬送手段と、
前記原稿搬送手段が搬送する原稿からの画像読み取りを行う画像読取手段と、
前記原稿に無線タグが埋め込まれていると当該無線タグからの格納情報の読み取りを行う情報読取手段とを備え、
前記情報読取手段は、前記原稿搬送手段による搬送開始前に前記原稿束を構成する原稿について第一の情報読み取りを行うとともに、前記原稿搬送手段による搬送開始後に当該原稿搬送手段が搬送する原稿について第二の情報読み取りを行うものである
ことを特徴とする画像読取装置。
【請求項２】
前記情報読取手段は、前記第一の情報読み取り時に前記原稿束を構成する複数の原稿について一括した情報読み取りを行うとともに、前記第二の情報読み取り時には前記原稿搬送手段が搬送する各原稿について個別の情報読み取りを行う
ことを特徴とする請求項１記載の画像読取装置。
【請求項３】
前記情報読取手段は、前記第一の情報読み取りを行う第一読取手段と、前記第二の情報読み取りを行う第二読取手段とを有し、
前記第一読取手段と前記第二読取手段とは、前記無線タグとの通信可能距離よりも互いに離れて配置されている
ことを特徴とする請求項１または２記載の画像読取装置。
【請求項４】
前記情報読取手段は、前記第一の情報読み取りを行う第一読取手段と、前記第二の情報読み取りを行う第二読取手段とを有し、
前記第一読取手段と前記第二読取手段とは、それぞれにおける前記無線タグとの通信可能距離が異なる
ことを特徴とする請求項１または２記載の画像読取装置。
【請求項５】
前記情報読取手段は、前記第一の情報読み取りと前記第二の情報読み取りとを同一読取手段を用いて行うとともに、前記第一の情報読み取り時と前記第二の情報読み取り時とで当該同一読取手段の位置または通信指向性の少なくとも一方を相違させる
ことを特徴とする請求項１または２記載の画像読取装置。
【請求項６】
前記第一の情報読み取りで得られた情報に基づき前記画像読取手段が画像読み取りを行う際の動作制御を行うとともに、前記第二の情報読み取りで得られた情報に基づき前記画像読取手段での画像読み取りで得られた画像データに対する処理制御を行う制御手段を備える
ことを特徴とする請求項１〜５のいずれか１項に記載の画像読取装置。
【請求項７】
前記第一の情報読み取りで得る情報には、前記画像読取手段での画像読み取りの可否を特定するセキュリティ情報が含まれる
ことを特徴とする請求項６記載の画像読取装置。
【請求項８】
前記第一の情報読み取りで得られた情報についての表示出力および必要情報の入力要求を行うＵＩ手段を備える
ことを特徴とする請求項６または７記載の画像読取装置。
【請求項９】
前記制御手段は、前記画像読取手段が画像読み取りを行う際の動作制御として、当該画像読み取りの速度制御を行う
ことを特徴とする請求項６、７または８記載の画像読取装置。
【請求項１０】
前記画像読取手段での画像読み取りで得られた画像データに対する処理を行う処理手段を複数備えるとともに、各処理手段がそれぞれ並行して当該画像データに対する処理を行い得るように構成されている
ことを特徴とする請求項１〜９のいずれか１項に記載の画像読取装置。
【請求項１１】
前記処理手段についてのプライオリティが予め設定されている
ことを特徴とする請求項１０記載の画像読取装置。
【発明の詳細な説明】
【技術分野】
【０００１】
本発明は、原稿からの画像読み取りを行う画像読取装置に関し、特に無線タグが埋め込まれた原稿からの画像読み取りに対応した画像読取装置に関する。
【背景技術】
【０００２】
近年、無線タグが埋め込まれた原稿からの画像読み取りに対応した画像読取装置が提案されている。具体的には、例えば、原稿に埋め込まれた無線タグから印刷パラメータ情報を読み取り、その印刷パラメータ情報に応じた印刷処理を行い得るようにしたもの（例えば、特許文献１参照）や、原稿に埋め込まれた無線タグから読み取った情報に基づき、その原稿から得た画像データに対する処理動作（印刷処理、ファクシミリ送信処理等）を切り替え得るようにしたもの（例えば、特許文献２参照）がある。これらの画像読取装置では、無線タグから読み取った情報に応じて印刷パラメータや処理動作等を制御し得るので、無線タグが埋め込まれた原稿であればＵＩ操作（パラメータ設定や動作指示等）の負荷を軽減することができる。さらには、原稿に埋め込まれた無線タグから読み取った情報に基づいて印刷処理の可否を判断することで、不正コピーを禁止してセキュリティの向上を図ったものもある（例えば、特許文献３参照）。
【０００３】
このような処理機能を実現可能にする無線タグとしては、例えばＲＦＩＤ（Radio Frequency Identification）タグが広く知られている。ＲＦＩＤタグは、情報記録が可能な無線ＩＣチップで、電波を使って専用のリーダとの間で情報を送受信する機能を持ち、その埋め込みによって被埋め込み物の識別等に利用されるものである。形状は、ラベル型、カード型、コイン型、スティック型等といった様々なものがあり、また通信距離も数mm程度のものから数ｍのものがあり、その用途に応じて使い分けられる。さらには、アンテナ側からの非接触電力伝送技術により、電池を持たない半永久的に利用可能なものも登場している。
【０００４】
【特許文献１】特開２００４−８８５８０号公報
【特許文献２】特開２００４−８８５８３号公報
【特許文献３】特開２００５−１２７０１号公報
【発明の開示】
【発明が解決しようとする課題】
【０００５】
ところで、画像読取装置としては、複数の原稿からなる原稿束について、その画像読み取りを連続して自動的に行うべく、ＡＤＦ（Automatic Document Feeder）またはＤＡＤＦ（Duplexing Automatic Document Feeder）といった自動原稿搬送機構を備え、その自動原稿搬送機構で搬送される原稿からの画像読み取りを行うものが広く普及している。
【０００６】
しかしながら、自動原稿搬送機構を備えた画像読取装置では、無線タグが埋め込まれた原稿からの画像読み取りに対応する場合に、その無線タグに記録された情報を必ずしも適切に利用し得るとは限らない。例えば、原稿が１枚ずつプラテンガラス上に載置される、いわゆるプラテンスキャンの場合であれば、プリスキャン時に無線タグからの情報読み取りを行い、情報の読み取り内容をその後の本スキャン時に反映させるといったことが実現可能である。ところが、自動原稿搬送機構を利用した、いわゆるＣＶＴ（Constant Velocity Transfer）スキャンの場合には、搬送中の原稿から画像の流し読みを行うため、無線タグからの情報読み取り内容を原稿からの画像読み取りに反映させることが困難になるおそれがある。
【０００７】
そこで、本発明は、ＣＶＴスキャンの場合であっても、無線タグに記録された情報を適切に利用することのできる画像読取装置を提供することを目的とする。
【課題を解決するための手段】
【０００８】
本発明は、上記目的を達成するために案出された画像読取装置で、セットされた原稿束から原稿を毎葉で繰り出して搬送する原稿搬送手段と、前記原稿搬送手段が搬送する原稿からの画像読み取りを行う画像読取手段と、前記原稿に無線タグが埋め込まれていると当該無線タグからの格納情報の読み取りを行う情報読取手段とを備え、前記情報読取手段は、前記原稿搬送手段による搬送開始前に前記原稿束を構成する原稿について第一の情報読み取りを行うとともに、前記原稿搬送手段による搬送開始後に当該原稿搬送手段が搬送する原稿について第二の情報読み取りを行うものであることを特徴とする。
【０００９】
上記構成の画像読取装置では、無線タグからの格納情報の読み取りを行う情報読取手段が、原稿の搬送開始前に第一の情報読み取りを行う。搬送開始前であるから、その時点では、画像読取手段での画像読み取りが行われていない。したがって、その後に行う画像読取手段での画像読み取り時には、第一の情報読み取りにて情報読取手段が無線タグから読み取った情報の読み取り内容を、その画像読み取りに反映させ得るようになる。しかも、情報読取手段は、搬送開始後に第二の情報読み取りを行う。搬送開始後であるから、無線タグからの情報読み取りは、毎葉で繰り出される原稿毎に行われる。したがって、原稿束を構成する各原稿における無線タグの格納情報が各原稿別に異なるものであっても、各原稿別の相違を判別して、その相違に適切に対応し得るようにもなる。
【発明の効果】
【００１０】
本発明の画像読取装置によれば、搬送される原稿からの画像読み取りを行うＣＶＴスキャンの場合であっても、無線タグから読み取った情報の読み取り内容をその画像読み取りに反映させることができ、しかもＣＶＴスキャンで読み取る原稿束を構成する各原稿別の相違にも適切に対応し得ることから、その無線タグの格納情報を有効に利用した画像読み取りを確実に行うことが可能となる。つまり、ＣＶＴスキャンの場合であっても、無線タグに記録された情報を適切に利用することができ、結果としてユーザにとっての利便性やセキュリティ向上等を図ることができる。
【発明を実施するための最良の形態】
【００１１】
以下、図面に基づき本発明に係る画像読取装置について説明する。
【００１２】
先ず、画像読取装置の構成について説明する。図１は本発明に係る画像読取装置の概略構成の一例を示す説明図であり、図２はその要部構成の一例を示す説明図である。
【００１３】
図１に示すように、ここで説明する画像読取装置１０は、スキャナ装置、複写機若しくはＦＡＸ装置、またはこれらの機能を統合した複合機として用いられるもので、図例のように、原稿搬送部１１と、スキャナ部１２と、画像処理部１３と、ＵＩ（User Interface）部１４と、制御部１５と、を備えている。
【００１４】
原稿搬送部１１は、ＡＤＦまたはＤＡＤＦからなるもので、原稿の自動送りを行うものである。すなわち、原稿搬送部１１では、当該原稿搬送部１１が有する給紙トレイにセットされた原稿束から、その原稿束を構成する原稿を毎葉で繰り出して搬送し、当該原稿搬送部１１が有する排紙トレイ上へ排出するようになっている。
【００１５】
スキャナ部１２は、ＣＣＤ（Charge Coupled Device）等からなるイメージセンサを有してなるもので、原稿からの画像データの読み取りを行うものである。ただし、スキャナ部１２では、画像データの読み取りにあたり、原稿搬送部１１による搬送中の原稿からの流し読み、すなわちＣＶＴスキャンを行うものとする。なお、ＣＶＴスキャンを行い得るものであれば、ＣＶＴスキャンとプラテンスキャンとの両方に選択的に対応するものであってもよい。
【００１６】
画像処理部１３は、スキャナ部１２での画像読み取りで得られた画像データに対する処理を行うものである。ただし、画像処理部１３では、画像データに対する処理を、複数の処理モジュール１３ａ〜１３ｃを用いて行うようになっている。
各処理モジュール１３ａ〜１３ｃは、それぞれが異なる処理を行うものである。例えば、ある処理モジュール１３ａは画像データの印刷出力処理を行うのに対し、別の処理モジュール１３ｂは画像データのファクシミリ送信処理を行い、さらに別の処理モジュール１３ｃは画像データの電子メール送信処理を行う、といった具合である。あるいは、ある処理モジュール１３ａは画像データの濃度調整処理を行うのに対し、別の処理モジュール１３ｂは画像データの解像度変換処理を行い、さらに別の処理モジュール１３ｃは画像データの回転処理を行う、といった具合である。これらの処理内容は、特に限定されるものではない。このことは処理モジュール１３ａ〜１３ｃの数についても同様である。
ただし、画像処理部１３における各処理モジュール１３ａ〜１３ｃのうちの少なくとも二つは、並行して処理を行い得るものとする。そして、各処理モジュール１３ａ〜１３ｃについては、詳細を後述するように、プライオリティが予め設定されていることが望ましい。
【００１７】
ＵＩ部１４は、画像読取装置１０のユーザが情報入力のための操作を行ったり、そのユーザに対する情報出力を行ったりするものである。
【００１８】
制御部１５は、画像読取装置１０全体の制御を行うためのものである。この制御部１５が行う制御には、スキャナ部１２が画像読み取りを行う際の動作制御（例えば、画像読み取りの速度制御）や、画像処理部１３が行う画像データに対する処理についての制御等が含まれるものとする。
【００１９】
また、本実施形態で説明する画像読取装置１０は、上述した各部１１〜１５に加えて、原稿に埋め込まれている無線タグからの格納情報の読み取りを行う情報読取部１６を備えている。無線タグとしては、例えばｎビットのデジタル情報が記録可能なＲＦＩＤタグが挙げられる。ただし、必ずしもＲＦＩＤタグに限定されることはなく、無線通信を利用した非接触での情報読み取りが可能なものであれば、他のものを用いても構わない。なお、ＲＦＩＤタグの詳細については、公知技術を用いて実現すればよいため、ここではその説明を省略する。
【００２０】
ここで、ＲＦＩＤタグからの情報読み取りを行う情報読取部１６について、さらに詳しく説明する。
ＲＦＩＤタグ（またはこれに準ずるもの）からの情報読み取りを行う情報読取部１６としては、そのＲＦＩＤタグからのデジタル情報の読み取りを非接触で行うＲＦＩＤリーダを用いて構成することが考えられる。
【００２１】
ただし、本実施形態で説明する画像読取装置１０では、情報読取部１６が単にＲＦＩＤタグからの情報読み取りを行うだけではなく、その情報読み取りを、第一の情報読み取りと第二の情報読み取りの二回に亘って行うようになっている。第一の情報読み取りは、原稿搬送部１１による原稿の搬送開始前に、その原稿搬送部１１の給紙トレイにセットされた原稿束を構成する原稿について、一括して行うものである。一方、第二の情報読み取りは、原稿搬送部１１による原稿の搬送開始後に、その原稿搬送部１１が搬送する各原稿について、個別に行うものである。
【００２２】
このような第一の情報読み取りおよび第二の情報読み取りを行うために、情報読取部１６は、図２に示すように、第一の情報読み取りを行う第一ＲＦＩＤリーダ１６ａと、第二の情報読み取りを行う第二ＲＦＩＤリーダ１６ｂとを有している。第一ＲＦＩＤリーダ１６ａは、第一の情報読み取りを行うため、原稿搬送部１１における給紙トレイ１１ａの近傍位置で、当該給紙トレイ１１ａ上に載置された原稿束の各ＲＦＩＤタグからの情報読み取りを行い得る位置に配設されている。一方、第二ＲＦＩＤリーダ１６ｂは、第二の情報読み取りを行うため、原稿搬送部１１における給紙トレイ１１ａと、スキャナ部１２による画像読み取り位置１２ａと、原稿搬送部１１における排紙トレイ１１ｂとの間を結ぶ原稿搬送路１１ｃ上のいずれかの箇所で、原稿搬送路１１ｃを搬送される原稿のＲＦＩＤタグからの情報読み取りを行い得る位置に配設されている。
【００２３】
ところで、第一ＲＦＩＤリーダ１６ａおよび第二ＲＦＩＤリーダ１６ｂは、いずれも、ＲＦＩＤタグからの情報読み取りを、非接触で、すなわち無線通信を利用して行うようになっている。そのため、第一ＲＦＩＤリーダ１６ａおよび第二ＲＦＩＤリーダ１６ｂについては、第一の情報読み取りと第二の情報読み取りとを区別するためにも、ＲＦＩＤタグとの無線通信時における混信を防止して、それぞれの得た情報が給紙トレイ１１ａ上の原稿束の各ＲＦＩＤタグから得たものか、あるいは原稿搬送路１１ｃを搬送される原稿のＲＦＩＤタグから得たものか判別し得るようにする必要がある。
【００２４】
このことから、第一ＲＦＩＤリーダ１６ａと第二ＲＦＩＤリーダ１６ｂとは、それぞれにおけるＲＦＩＤタグとの通信可能距離よりも互いに離れて配置されていることが望ましい。このような配置であれば、それぞれが互いに電波到達範囲外に位置することになるので、無線通信時における混信が生じ得ないからである。
【００２５】
また、第一ＲＦＩＤリーダ１６ａと第二ＲＦＩＤリーダ１６ｂとは、それぞれにおけるＲＦＩＤタグとの通信可能距離が異なるものであってもよい。具体的には、第二ＲＦＩＤリーダ１６ｂについては、原稿搬送路１１ｃを搬送される原稿のＲＦＩＤタグからの情報読み取りを行い得ればよいので、原稿搬送路１１ｃの近傍に配置するとともに、通信可能距離が小さいものを使用し、第一ＲＦＩＤリーダ１６ａについては、給紙トレイ１１ａ上の原稿束の各ＲＦＩＤタグからの情報読み取りを行う必要があるので、第二ＲＦＩＤリーダ１６ｂよりも通信可能距離が大きいものを使用することが考えられる。このようにした場合にも、それぞれの通信可能距離が異なることから、その相違を実現するための利用電波の違い等に起因して、無線通信時における混信を抑制し得るようになる。
【００２６】
なお、ここでは、情報読取部１６が第一ＲＦＩＤリーダ１６ａと第二ＲＦＩＤリーダ１６ｂとを有してなる場合を例に挙げているが、第一の情報読み取りおよび第二の情報読み取りを行うことが可能であれば、必ずしも第一ＲＦＩＤリーダ１６ａと第二ＲＦＩＤリーダ１６ｂとを別個に有する必要はない。すなわち、情報読取部１６は、第一の情報読み取りと第二の情報読み取りとを、同一のＲＦＩＤリーダを用いて行うものであってもよい。その場合、当該同一のＲＦＩＤリーダについては、第一の情報読み取り時と第二の情報読み取り時とで、その配置の位置または通信指向性（配置の向き）の少なくとも一方を、例えばモータ等の駆動源を利用した移動機構によって相違させることが考えられる。これにより、当該同一のＲＦＩＤリーダが得た情報が、給紙トレイ１１ａ上の原稿束の各ＲＦＩＤタグから得たものか、あるいは原稿搬送路１１ｃを搬送される原稿のＲＦＩＤタグから得たものか判別し得るので、第一の情報読み取りと第二の情報読み取りとを明確に区別できるからである。
【００２７】
次に、以上のように構成された画像読取装置１０における処理動作例について説明する。図３は、本発明に係る画像読取装置における処理動作の一例を示すフローチャートである。
【００２８】
図例のように、ここで説明する画像読取装置１０は、原稿搬送部１１の給紙トレイ１１ａに原稿束がセットされたことを、その原稿セットの検知機能が検知すると、または原稿束のセット後にＵＩ部１４でのスキャンスタートの指示入力があると（ステップ１０１、以下ステップを「Ｓ」と略す）、情報読取部１６が第一の情報読み取りを行う（Ｓ１０２）。すなわち、情報読取部１６では、原稿搬送部１１による搬送開始前に、第一ＲＦＩＤリーダ１６ａが、給紙トレイ１１ａ上の原稿束を構成する各原稿に埋め込まれたＲＦＩＤタグからの情報読み取りを行う。
【００２９】
この第一の情報読み取りによって、第一ＲＦＩＤリーダ１６ａは、例えば、原稿のスキャン（コピー）を禁止するか否か、禁止に関する期限はあるか、原稿から読み取った画像データに対してどのような処理を行う必要があるか、原稿束を構成する原稿は何枚か、原稿の作成者、作成日または具体的な内容等の情報を、各原稿に埋め込まれたＲＦＩＤリーダから取り出す。
【００３０】
このとき、第一ＲＦＩＤリーダ１６ａは、これらの情報の取り出しを、原稿束を構成する各原稿について、一括して行うことが望ましい。一括して行えば第一の情報読み取りの迅速化が図れるからであり、また第一の情報読み取りでは、原稿束についてどのような情報が認識できればよく、取り出した情報と各原稿との対応関係を特定する必要はないからである。
【００３１】
情報読取部１６の第一ＲＦＩＤリーダ１６ａが第一の情報読み取りを行うと、制御部１５は、その第一の情報読み取りで得た情報に基づいて、スキャナ部１２が各原稿からの画像読み取りを行う際の動作制御を行う。具体的には、先ず、セットされた原稿束について、スキャン（コピー）が可能であるか否かを判断し（Ｓ１０３）、スキャンを禁止するセキュリティ情報やその禁止期限等がある場合には、その旨の情報表示をＵＩ部１４に行わせる（Ｓ１０４）。そして、ＵＩ部１４でのパスワード入力等の所定認証処理により禁止条件が解消された場合を除き、給紙トレイ１１ａ上の原稿束についての画像読み取り処理を終了する（Ｓ１０５）。
【００３２】
禁止情報や禁止期限等がない場合、または所定認証処理により禁止条件が解消された場合には、制御部１５は、原稿束についての画像読み取り処理が実施可能と判断し、続いて、第一の情報読み取りで得た情報を基に、原稿から読み取る画像データに対する処理に用いる処理モジュール１３ａ〜１３ｃを特定し、その特定した処理モジュール１３ａ〜１３ｃを動作可能状態にする（Ｓ１０６）。
【００３３】
このとき、特定した処理モジュール１３ａ〜１３ｃが複数あり、その複数の処理モジュール１３ａ〜１３ｃが並行して処理を行い得るものであれば、制御部１５は、その複数の処理モジュール１３ａ〜１３ｃが並列処理できるように動作準備をする。ただし、並列処理し得るモジュール数に制限がある場合には、特定した処理モジュール１３ａ〜１３ｃの数がその制限数を超えていると、その特定した処理モジュール１３ａ〜１３ｃの全てに並列処理をさせることができない。かかる場合に、各処理モジュール１３ａ〜１３ｃについてのプライオリティが予め設定されていれば、制御部１５は、そのプライオリティに従い、プライオリティの高いものに対して優先的に動作準備をする。例えば、コピー処理のための印刷出力を行う処理モジュール１３ａとファクシミリ送信処理のための処理モジュール１３ｂと電子メール送信処理のための処理モジュール１３ｃがあり、処理モジュール１３ａ＞処理モジュール１３ｂ＞処理モジュール１３ｃというプライオリティが設定されている場合に、並列処理し得るモジュールの数が「２」であれば、制御部１５は、処理モジュール１３ａおよび処理モジュール１３ｂについて優先して動作準備をする。これにより、並列処理し得るモジュール数に制限があっても、即時性が要求されるコピー処理等が優先して処理されるようになるので、結果としてユーザにとっての利便性が向上することになる。なお、各処理モジュール１３ａ〜１３ｃが動作パラメータの設定を必要とするものである場合、制御部１５は、上述した動作準備の段階では、デフォルト設定を行えばよい。
【００３４】
さらに、制御部１５は、各処理モジュール１３ａ〜１３ｃの動作準備に加え、必要に応じて、原稿搬送部１１およびスキャナ部１２での動作条件の設定を行う。例えば、情報読取部１６での第一の情報読み取りを通じて原稿にＲＦＩＤタグが埋め込まれていることが判明すれば、その後に行う第二の情報読み取りを確実に行えるようにすべく、原稿搬送部１１による原稿搬送速度を、通常（デフォルト）よりも遅くすることが考えられる。また、第一の情報読み取りで得た原稿の具体的な処理内容等を基に、例えば高解像度が必要な場合には原稿搬送速度を遅くする、といったことも考えられる。さらには、原稿の具体的な処理内容等によっては、ＣＶＴスキャンではなく、原稿搬送部１１が搬送する原稿をスキャナ部１２のプラテンガラス上に一旦停止させてスキャナ部１２に走査させるプラテンスキャンを行うように、原稿搬送部１１およびスキャナ部１２に対する設定を行ってもよい。
【００３５】
このような制御部１５による各種設定、すなわち画像読み取りの際の動作のための制御指示が完了すると、原稿搬送部１１は、給紙トレイ１１ａにセットされた原稿束についての原稿搬送を開始する（Ｓ１０７）。これにより、その原稿束を構成する原稿は、一枚づつ毎葉で繰り出されて搬送されることになる。
【００３６】
原稿搬送部１１による原稿の搬送開始後は、情報読取部１６が第二の情報読み取りを行う（Ｓ１０８）。すなわち、情報読取部１６では、原稿搬送部１１による搬送開始後に、第二ＲＦＩＤリーダ１６ｂが、原稿搬送部１１に搬送される各原稿に埋め込まれたＲＦＩＤタグからの情報読み取りを行う。このとき、第二ＲＦＩＤリーダ１６ｂは、原稿が一枚づつ毎葉で搬送されることから、各原稿に埋め込まれたＲＦＩＤタグからの情報の取り出しを、各原稿別に個別に行う。この原稿別の情報取り出しによって、その取り出した情報と、取り出し元となる原稿とは、互いの対応関係が明確となる。
【００３７】
第二の情報読み取りを行う第二ＲＦＩＤリーダ１６ｂは、給紙トレイ１１ａ、画像読み取り位置１２ａおよび排紙トレイ１１ｂとの間を結ぶ原稿搬送路１１ｃ上のいずれかの箇所に配されている。したがって、第二の情報読み取りは、原稿の搬送開始後、その原稿が排紙トレイ１１ｂに排出されるまでの間に行われることになる。つまり、第二の情報読み取りは、原稿の搬送開始後であれば、その原稿からのスキャナ部１２による画像読み取り前に行っても、画像読み取り中に行っても、あるいは画像読み取り後に行っても構わない。ただし、その後に行う制御部１５での処理制御効率を考慮すると、スキャナ部１２による画像読み取り前に第二の情報読み取りを行い、スキャナ部１２での画像読み取り時には既に第二の情報読み取りが完了していることが望ましい。
【００３８】
情報読取部１６の第二ＲＦＩＤリーダ１６ｂが第二の情報読み取りを行うと、制御部１５は、その第二の情報読み取りで得た情報に基づいて、その情報取り出し元の原稿からスキャナ部１２が得た画像データに対する処理制御を行う。すなわち、情報取り出し元の原稿について、動作準備した中のどの処理モジュール１３ａ〜１３ｃを用いた処理を行うのかを決定するとともに、第二の情報読み取りで得た情報を基に具体的な処理内容（処理条件パラメータ等）を認識し、決定した処理モジュール１３ａ〜１３ｃに対して認識した処理内容の設定指示を行う。具体的には、例えばスキャナ部１２で得る画像データに対する処理としてコピー処理を行う場合であれば、コピー処理のための処理モジュール１３ａを決定するとともに、その処理モジュール１３ａに対してコピー部数や拡縮有無等の設定指示を行う。また、例えばスキャナ部１２で得る画像データに対する処理として濃度調整処理を行う場合であれば、濃度調整処理のための処理モジュール１３ａを決定するとともに、その処理モジュール１３ａに対して濃度調整値等の設定指示を行う。なお、第二の情報読み取りで得た情報で特定し得ない設定項目については、デフォルト設定を行えばよい。
【００３９】
このような制御部１５による各種設定、すなわち画像データに対する処理制御のための制御指示が完了すると、その後は、制御部１５からの制御指示に従いつつ、その制御部１５によって選択決定された処理モジュール１３ａ〜１３ｃが、スキャナ部１２での画像読み取りで得られた画像データに対する処理を行う（Ｓ１０９）。これにより、スキャナ部１２得られた画像データに対しては、ＲＦＩＤタグにおける格納情報の内容が反映させた処理が行われることになる。
【００４０】
そして、原稿搬送部１１による原稿の搬送開始後、その原稿搬送部１１にセットされた原稿束を構成する原稿の全てについて終了するまで（Ｓ１１０）、各原稿別に、上述した一連の処理が繰り返し行われるのである（Ｓ１０７〜Ｓ１１０）。
【００４１】
以上に説明したように、本実施形態で説明した画像読取装置１０では、ＲＦＩＤタグからの格納情報の読み取りを行う情報読取部１６が、先ず、原稿の搬送開始前に第一ＲＦＩＤリーダ１６ａによる第一の情報読み取りを行う。搬送開始前であるから、その時点では、スキャナ部１２での画像読み取りが行われていない。したがって、その後に行うスキャナ部１２での画像読み取り時には、第一の情報読み取りにてＲＦＩＤタグから読み取った情報の読み取り内容を、その画像読み取りに反映させ得るようになる。しかも、情報読取部１６は、原稿の搬送開始後に第二ＲＦＩＤリーダ１６ｂによる第二の情報読み取りを行う。搬送開始後であるから、ＲＦＩＤタグからの情報読み取りは、毎葉で繰り出される原稿毎に行われる。したがって、原稿束を構成する各原稿におけるＲＦＩＤタグの格納情報が各原稿別に異なるものであっても、各原稿別の相違を判別して、その相違に適切に対応し得るようにもなる。
【００４２】
つまり、本実施形態で説明した画像読取装置１０によれば、搬送される原稿からの画像読み取りを行うＣＶＴスキャンの場合であっても、ＲＦＩＤタグから読み取った情報の読み取り内容をその画像読み取りに反映させることができ、しかもＣＶＴスキャンで読み取る原稿束を構成する各原稿別の相違にも適切に対応し得ることから、そのＲＦＩＤタグの格納情報を有効に利用した画像読み取りを確実に行うことが可能となる。したがって、ＣＶＴスキャンの場合であっても、ＲＦＩＤタグに記録された情報を適切に利用することができ、結果としてユーザにとっての利便性やセキュリティ向上等を図ることができるのである。
【００４３】
なお、本実施形態では、本発明の好適な実施具体例を説明したが、本発明はその内容に限定されるものではない。すなわち、本発明は、その要旨を逸脱しない範囲で適宜変更することが可能である。
【図面の簡単な説明】
【００４４】
【図１】本発明に係る画像読取装置の概略構成の一例を示す説明図である。
【図２】本発明に係る画像読取装置の要部構成の一例を示す説明図である。
【図３】本発明に係る画像読取装置における処理動作の一例を示すフローチャートである。
【符号の説明】
【００４５】
１…画像読取装置、１１…原稿搬送部、１１ａ…給紙トレイ、１１ｂ…排紙トレイ、１１ｃ…原稿搬送路、１２…スキャナ部、１２ａ…画像読み取り位置、１３…画像処理部、１３ａ〜１３ｃ…処理モジュール、１４…ＵＩ部、１５…制御部、１６…情報読取部、１６ａ…第一ＲＦＩＤリーダ、１６ｂ…第二ＲＦＩＤリーダ
【図１】
2007074333.tif 000003
【図２】
2007074333.tif 000004
【図３】
2007074333.tif 000005